(57)【要約】【課題】天井、壁面などに固定される固定ユニットに対して、撮像レンズが設けられた本体ユニットを確実に固定すること。【解決手段】天井に固定される天井側ユニット１００と、本体ユニット２００に対して着脱され、レンズ２０１が設けられた本体ユニット２００と、本体ユニット２００に設けられ、天井側ユニット１００に本体ユニット２００が装着された状態で天井側ユニット１００と係合するロックプレート２１４と、本体ユニット２００に設けられ、ロックプレート２１４が天井側ユニット１００に係合した状態で天井側ユニット１００と係合するロックシャフト２２０と、を備える。【選択図】図３
2010232827.tif 000002
【特許請求の範囲】
【請求項１】
建造物に固定される固定ユニットと、
前記固定ユニットに対して着脱され、撮像レンズが設けられた本体ユニットと、
前記本体ユニットに設けられ、前記固定ユニットに前記本体ユニットが装着された状態で前記固定ユニットと係合する第１の係合部と、
前記本体ユニットに設けられ、前記第１の係合部が前記固定ユニットに係合した状態で前記固定ユニットと係合する第２の係合部と、
を備える、撮像装置の取付機構。
【請求項２】
前記第２の係合部は、前記第１の係合部が前記固定ユニットに係合した状態で、ユーザの押し込み操作により前記固定ユニットと係合する、請求項１に記載の撮像装置の取付機構。
【請求項３】
前記第２の係合部を操作するための操作部を備え、
前記操作部は、前記第２の係合部が前記固定ユニットと係合していない状態では、前記本体ユニットの外表面から突出している、請求項１に記載の撮像装置の取付機構。
【請求項４】
前記第１の係合部による係合を解除する方向と、前記第２の係合部による係合を解除する方向が同一の方向であり、前記第１の係合部と前記固定ユニットとの係合を外すと、前記第２の係合部と前記固定ユニットとの係合が連動して外れる、請求項１に記載の撮像装置の取付機構。
【請求項５】
前記本体ユニットの外表面に設けられ、前記第１の係合部を操作するための第１の操作部と、
前記本体ユニットの外表面に設けられ、前記第２の係合部を操作するための第２の操作部と、を備え、
前記第１の操作部は、前記第２の操作部の下部に配置された、請求項１に記載の撮像装置の取付機構。
【請求項６】
前記第１の操作部の前記本体ユニットの外表面における面積は、前記第２の操作部の前記本体ユニットの外表面における面積よりも大きい、請求項５に記載の撮像装置の取付機構。
【請求項７】
前記固定ユニットには、前記本体ユニットが装着される際に前記第２の係合部の位置を前記固定ユニットと係合しない位置に復帰させる復帰部が設けられた、請求項１に記載の撮像装置の取付機構。
【請求項８】
建造物に固定される固定ユニットと、
前記固定ユニットに対して着脱され、撮像レンズが設けられた本体ユニットと、
前記本体ユニットに設けられ、前記固定ユニットに前記本体ユニットが装着された状態で前記固定ユニットと係合する第１の係合部と、
前記本体ユニットに設けられ、前記第１の係合部が前記固定ユニットに係合した状態で前記固定ユニットと係合する第２の係合部と、
を備える、撮像装置。
【請求項９】
前記本体ユニットに設けられ、前記第１及び第２の係合部が設けられたロック機構と、
前記固定ユニットに設けられ、前記本体ユニットとの電気的接続を行う第１のコネクタと、
前記本体ユニットに設けられ、前記第１のコネクタと連結される第２のコネクタと、
前記本体ユニットに設けられ、前記第２のコネクタが実装される回路基板と、を備え、
前記本体ユニットは円筒形状とされ、
前記ロック機構が前記本体ユニットの外周面の２箇所に１８０度の角度で対向して設けられ、
前記第２のコネクタは、円筒形状の前記本体ユニットの中心軸に対して、前記ロック機構の１つと同じ角度位置に設けられた、請求項８に記載の撮像装置。
【請求項１０】
前記回路基板には、無線ＬＡＮカード又はメモリカードが挿入されるカードコネクタが実装され、前記カードコネクタは、円筒形状の前記本体ユニットの中心軸に対して、前記ロック機構の１つと９０度離隔した角度位置に設けられた、請求項９に記載の撮像装置。
【発明の詳細な説明】
【技術分野】
【０００１】
本発明は、撮像装置の取付機構及び撮像装置に関する。
【背景技術】
【０００２】
従来、下記の特許文献に記載されているように、天井や壁面などの高所に設置して使用される防犯用カメラ装置の設置作業やメンテナンス時の着脱作業を容易にすることを目的としたカメラ装置が知られている。
【先行技術文献】
【特許文献】
【０００３】
【特許文献１】特開２００３−１８９１３８号公報
【特許文献２】特開２００８−９２２５８号公報
【特許文献３】特開２００６−２０８４４６号公報
【特許文献４】特開２００１−２４９１５号公報
【発明の概要】
【発明が解決しようとする課題】
【０００４】
天井などに設置されるカメラ装置は、監視のため広範囲に渡って撮影を行う必要があり、レンズの向きを換えるためのモータなどの機構が取り付けられている。このため、修理、メンテナンス等のため、定期的に取り外す必要が生じる。
【０００５】
しかしながら、カメラ装置を取り外し可能にした場合、天井側の固定部材と、カメラ本体ユニットとの装着状態が不完全になることが想定される。このような場合、天井側の固定部材とカメラ本体との電気的接続が不完全になったり、カメラ本体ユニットが天井側の固定部材から離脱してしまうなどの不具合が生じる。
【０００６】
そこで、本発明は、上記問題に鑑みてなされたものであり、本発明の目的とするところは、天井、壁面などに固定される固定ユニットに対して、撮像レンズが設けられた本体ユニットを確実に固定することが可能な、新規かつ改良された撮像装置の取付機構及び撮像装置を提供することにある。
【課題を解決するための手段】
【０００７】
上記課題を解決するために、本発明のある観点によれば、建造物に固定される固定ユニットと、前記固定ユニットに対して着脱され、撮像レンズが設けられた本体ユニットと、前記本体ユニットに設けられ、前記固定ユニットに前記本体ユニットが装着された状態で前記固定ユニットと係合する第１の係合部と、前記本体ユニットに設けられ、前記第１の係合部が前記固定ユニットに係合した状態で前記固定ユニットと係合する第２の係合部と、を備える、撮像装置の取付機構が提供される。
【０００８】
また、前記第２の係合部は、前記第１の係合部が前記固定ユニットに係合した状態で、ユーザの押し込み操作により前記固定ユニットと係合するものであってもよい。
【０００９】
また、前記第２の係合部を操作するための操作部を備え、前記操作部は、前記第２の係合部が前記固定ユニットと係合していない状態では、前記本体ユニットの外表面から突出しているものであってもよい。
【００１０】
また、前記第１の係合部による係合を解除する方向と、前記第２の係合部による係合を解除する方向が同一の方向であり、前記第１の係合部と前記固定ユニットとの係合を外すと、前記第２の係合部と前記固定ユニットとの係合が連動して外れるものであってもよい。
【００１１】
また、前記本体ユニットの外表面に設けられ、前記第１の係合部を操作するための第１の操作部と、前記本体ユニットの外表面に設けられ、前記第２の係合部を操作するための第２の操作部と、を備え、前記第１の操作部は、前記第２の操作部の下部に配置されたものであってもよい。
【００１２】
また、前記第１の操作部の前記本体ユニットの外表面における面積は、前記第２の操作部の前記本体ユニットの外表面における面積よりも大きいものであってもよい。
【００１３】
また、前記固定ユニットには、前記本体ユニットが装着される際に前記第２の係合部の位置を前記固定ユニットと係合しない位置に復帰させる復帰部が設けられたものであってもよい。
【００１４】
また、上記課題を解決するために、本発明の別の観点によれば、建造物に固定される固定ユニットと、前記固定ユニットに対して着脱され、撮像レンズが設けられた本体ユニットと、前記本体ユニットに設けられ、前記固定ユニットに前記本体ユニットが装着された状態で前記固定ユニットと係合する第１の係合部と、前記本体ユニットに設けられ、前記第１の係合部が前記固定ユニットに係合した状態で前記固定ユニットと係合する第２の係合部と、を備える、撮像装置が提供される。
【００１５】
また、前記本体ユニットに設けられ、前記第１及び第２の係合部が設けられたロック機構と、前記固定ユニットに設けられ、前記本体ユニットとの電気的接続を行う第１のコネクタと、前記本体ユニットに設けられ、前記第１のコネクタと連結される第２のコネクタと、前記本体ユニットに設けられ、前記第２のコネクタが実装される回路基板と、を備え、前記本体ユニットは円筒形状とされ、前記ロック機構が前記本体ユニットの外周面の２箇所に１８０度の角度で対向して設けられ、前記第２のコネクタは、円筒形状の前記本体ユニットの中心軸に対して、前記ロック機構の１つと同じ角度位置に設けられたものであってもよい。
【００１６】
また、前記回路基板には、無線ＬＡＮカード又はメモリカードが挿入されるカードコネクタが実装され、前記カードコネクタは、円筒形状の前記本体ユニットの中心軸に対して、前記ロック機構の１つと９０度離隔した角度位置に設けられたものであってもよい。
【発明の効果】
【００１７】
本発明によれば、天井、壁面などに固定される固定ユニットに対して、撮像レンズが設けられた本体ユニットを確実に固定することが可能となる。
【図面の簡単な説明】
【００１８】
【図１】本発明の一実施形態にかかる監視カメラ装置の全体構成を示す模式図である。
【図２】監視カメラ装置において、天井側ユニットから本体ユニットを取り外す様子を示す模式図である。
【図３】ロックボタン、リリースボタンを含む、ロック機構部の構成を示す模式図である。
【図４】図３の矢印Ａ１方向からロック機構部を見た状態を示す模式図である。
【図５】図３の矢印Ａ２方向からロック機構部を見た状態を示す模式図である。
【図６】天井側ユニットに設けられたフック金具を示す斜視図である
【図７】ロック機構部の下部を示す斜視図である。
【図８】フック金具にロック機構が係合した状態において、ロックシャフトがフック金具の開口部に挿入される様子を示す模式図である。
【図９】天井側ユニットから本体ユニットを取り外す際に、ロックシャフトがフック金具の開口部から退避する様子を示す模式図である。
【図１０】ロックボタンが既に押し込まれている状態で、本体ユニットを天井側ユニットに装着した場合を示す模式図である。
【図１１】ロックボタンに設けられるトグル機構を示す模式図である。
【図１２】本体ユニットを上側から見た状態を示す平面図である。
【図１３】本体ユニット、ロック機構及び回路基板を下側から見た状態を示す平面図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
なお、説明は以下の順序で行うものとする。
１．監視カメラ装置の全体構成
２．ロック機構部の構成
３．ロックボタンの構成
４．本体ユニットに関する平面構成
【００２１】
１．監視カメラ装置の全体構成
図１は、本発明の一実施形態にかかる監視カメラ装置５００の全体構成を示す模式図である。監視カメラ装置５００は、例えば屋内の部屋の天井、壁面など建造物全般に設置されるものである。図１に示すように、監視カメラ装置５００は、天井側ユニット１００と本体ユニット２００とから構成されている。
【００２２】
天井側ユニット１００は、天井に装着されて固定される。本体ユニット２００は、天井側ユニット１００に対して取り外し可能に装着される。本体ユニット２００には、画像を撮影するレンズ２０１、レンズ２０１で結像された像を撮像するＣＣＤなどの撮像素子、撮像素子で得られた画像信号を信号処理する回路基板等が設けられている。また、本体ユニット１００には、無線ＬＡＮによる通信を行うための無線ＬＡＮカード、または撮影した映像を記録するためのメモリカードが挿入されるカード挿入部２４０が設けられている。
【００２３】
本体ユニット２００は、メンテナンス等のため、天井側ユニット１００に対して取り外し可能に構成されている。図１（Ａ）〜図１（Ｃ）は、本体ユニット２００を天井側ユニット１００に装着している様子を示している。本体ユニット２００を天井側ユニット１００に装着する際には、図１（Ａ）に示すように、本体ユニット２００に取り付けられている落下防止ワイヤ２０２の先端を天井側ユニット１００の所定位置に係合さる。そして、天井側ユニット１００と本体ユニット２００の角度位置を合わせる。後述するが、本体ユニット２００と天井側ユニット１００の角度位置を合わせるため、本体ユニット２００には複数のボスが設けられ、天井側ユニット１００には本体ユニット２００のボスが挿入されるボス穴が設けられている。そして、この状態で天井側ユニット１００に対して本体ユニット２００を押し込むことで、天井側ユニット１００のフック金具１０２と後述する本体ユニット２００のロックプレート２１４が係合する。これにより、天井側ユニット１００に対して本体ユニット２００が装着される。
【００２４】
本体ユニット２００には、ロックボタン２０６が備えられている。天井側ユニット１００に対して本体ユニット２００を装着した後、図１（Ｂ）に示すように、ユーザによりロックボタン２０６が押し込まれる。ロックボタン２０６が押し込まれると、図１（Ｃ）に示すように、監視カメラ装置５００の設置が完了する。
【００２５】
図２は、監視カメラ装置５００において、天井側ユニット１００から本体ユニット２００を取り外す様子を示す模式図である。本体ユニット２００を取り外す際には、先ず、図２（Ａ）に示すように、ユーザによってリリースボタン２０８が押し込まれる。リリースボタン２０８が押し込まれると、後で詳細に説明するが、本体ユニット２００のロックプレート２０４と天井側ユニット１００のフック金具１０２との係合が外れる（図２（Ｂ））。これにより、図２（Ｃ）に示すように、本体ユニット２００を下方に引き下ろすことができる。その後、落下防止ワイヤ２０２を天井側ユニット１００から取り外すことで、天井側ユニット１００と本体ユニット２００が分離される。
【００２６】
２．ロック機構部の構成
図３は、ロックボタン２０６、リリースボタン２０８を含む、ロック機構部２１０の構成を示す模式図である。図３は、天井側ユニット１００に本体ユニット２００が装着されて、天井側ユニット１００のフック金具１０２とロック機構部２１０のロックプレート２１４が係合した状態を示している。また、図４は、図３の矢印Ａ１方向からロック機構部２１０を見た状態を示す模式図であり、図５は、図３の矢印Ａ２方向からロック機構部２１０を見た状態を示す模式図である。図１及び図２に示すように、本体部２００は円筒形状とされ、ロック機構部２１０は、円筒形状の中心軸Ｃに対して１８０°対向する位置に２箇所設けられている。同様に、フック金具１０２は、図１（Ａ）に示すように、ロック機構部２１０の位置に対応して、円筒形状の中心軸Ｃに対して１８０°対向する位置に２箇所設けられている。
【００２７】
図３、図４及び図５に示すように、ロック機構部２１０は、ロックボタン２０６、リリースボタン２０８、ベースプレート２１２、ロックプレート２１４、シャフト２１６、捻りコイルバネ２１８、ロックシャフト２２０、シャフト２２２を有して構成されている。
【００２８】
図５に示すように、ベースプレート２１２は、上部から見た場合に略コ字形状とされている。ベースプレート２１２の対向する面２１２ａの間にはロックプレート２１４が挿入されている。ベースプレート２１４も上部から見た場合に略コ字形状とされている。ベースプレート２１２及びロックプレート２１４にはシャフト２１６が挿入され、ロックプレート２１４は、シャフト２１６を回転中心軸としてベースプレート２１２に対して回動可能に構成されている。
【００２９】
また、図５に示すように、シャフト２１６は捻りコイルバネ２１８に挿通されており、捻りコイルバネ２１８の一端はロックプレート２１４の面２１４ａに当接し、他端はベースプレート２１２の面２１２ｂに当接している。これにより、ロックプレート２１４には、シャフト２１６を中心として図３中の矢印Ａ３方向に回動する付勢力が与えられている。また、図４に示すように、ロックプレート２１４には、９０°に折り曲げられた部位に、２つの開口部２１４ｂが設けられている。
【００３０】
図６は、天井側ユニット１００に設けられたフック金具１０２を示す斜視図である。フック金具１０２は、上部から見た場合に略コ字形状とされ、折り曲げにより形成された両翼部１０２ａには、それぞれ係合部１０２ｂが設けられている。また、フック金具１０２には、斜面１０２ｃ及び斜面１０２ｄが設けられている。フック金具１０２は、その取付面１０２ｅを天井側ユニット１００に当接させて、天井側ユニット１００に対して固定される。フック金具１０２は、本体ユニット２００の円筒形状の中心軸Ｃに対して１８０°対向する位置に２箇所設けられており、係合部１０２ｂを外側に向けて配置されている。
【００３１】
天井側ユニット１００に本体ユニット２００が装着された状態では、図３に示すように、フック金具１０２の係合部１０２ｂとロックプレート２１４の開口部２１４ｂの上端が係合する。また、ロックプレート２１４は、捻りコイルバネ２１８の付勢力により、図３中の矢印Ａ３方向に付勢されている。従って、捻りコイルバネ２１８の付勢力により、ロックプレート２１４とフック金具１０２が係合した状態は確実に維持される。
【００３２】
なお、天井側ユニット１００に本体ユニット２００を装着する際には、本体ユニット２００が天井側ユニット１００へ近接する方向に移動する。そして、この移動に伴い、ロックプレート２１４の上端が斜面１０２ｃに当接しながら、ロックプレート２１４とフック金具１０２の相対位置が変化する。これにより、ロックプレート２１４は、天井側ユニット１００に本体ユニット２００を装着する過程では、捻りコイルバネ２１８の付勢力に対抗して、図３中の矢印Ａ３方向とは反対向きに回動する。そして、本体ユニット２００を天井側ユニット１００に装着する過程で、フック金具１０２の係合部１０２ｂと開口部２１４ｂの上端の高さ位置が一致すると、ロックプレート２１４が矢印Ａ３方向に回動する。これにより、フック金具１０２の両翼部１０２ａが開口部２１４ｂに挿入されて、フック金具１０２の係合部１０２ｂが開口部２１４ｂに係合する。
【００３３】
図７は、ロック機構部２１０の下部を示す斜視図である。ロックプレート２１４の下部には、リリースボタン２０８が連結されている。リリースボタン２０８は、例えば樹脂製の部材から構成され、図７に示すように、背面側から突出する２つの突出部２０８ａが、ベースプレート２１２に設けられた２つの孔２１２ｃに挿通している。ロックプレート２１４の下部には、シャフト２２２が設けられており、突出部２０８ａに設けられた孔２０８ｂがシャフト２２２に挿通されることで、リリースボタン２０８は、ロックプレート２１４に対して回動可能な状態で連結されている。
【００３４】
また、図７に示すように、ベースプレート２１２には、本体ユニット２００に取り付けるための取付面２１２ｅと、ネジ孔２１２ｄが設けられている。
【００３５】
天井側ユニット１００から本体ユニット２００を取り外す際には、２つのロック機構部２１０のそれぞれにおいて、リリースボタン２０８が図３中の矢印Ａ４方向に押し込まれる。これにより、ロックプレート２１４が図３中の矢印Ａ３方向とは反対向きに回動し、フック金具１０２の係合部１０２ｂと開口部２１４ｂの上端との係合が外れる。これにより、天井側ユニット１００から本体ユニット２００を取り外すことができる。
【００３６】
３．ロックボタンの構成
次に、本実施形態に係る監視カメラ装置５００において、ロックボタン２０６に関係する構成について説明する。ロックボタン２０６は、ベースプレート２１２に固定されたホルダ２２４の孔に挿通され、ホルダ２２４によって保持されている。ロックボタン２０６は、図３中の矢印Ａ５方向に摺動して往復移動可能とされている。ロックボタン２０６は、ロックシャフト２２０と一体に構成されている。図４及び図７に示すように、ロックシャフト２２０は、ロックプレート２１４に設けられた開口部２１４ｃに挿通している。
【００３７】
図６に示すように、フック金具１０２には、開口部１０２ｆが設けられている。開口部１０２ｆは、フック金具１０２にロック機構２１０が係合した状態で、ロックシャフト２２０の位置に対応して設けられている。
【００３８】
図８は、フック金具１０２にロック機構２１０が係合した状態において、ロックシャフト２２０がフック金具１０２の開口部１０２ｆに挿入される様子を示す模式図である。ここで、図８（Ａ）は、天井側ユニット１００に本体ユニット２００が装着されて、ロックプレート２１４の開口部２１４ｂとフック金具１０２の係合部１０２ｂとが係合した状態を示している。上述したように、この状態では、ロックシャフト２２０の位置が開口部１０２ｆの位置に対応する。
【００３９】
図８（Ｂ）は、図８（Ａ）の状態において、ロックボタン２０６を押し込んだ状態を示している。ロックボタン２０６を押し込むと、ロックボタン２０６と一体に構成されたロックシャフト２２０が移動し、ロックシャフト２２０の先端が開口部１０２ｆに挿通される。これにより、ロックシャフト２２０と開口部１０２ｆとが係合した状態になる。
【００４０】
ロックシャフト２２０が開口部１０２ｆに係合した状態では、仮にフック金具１０２の係合部１０２ｂと開口部１１４ｂとの係合が外れた場合であっても、天井側ユニット１００から本体ユニット２００が外れてしまうことがない。従って、捻りコイルバネ２１８の付勢力によって係合しているロックプレート１１４とフック金具１０２が何らかの理由で外れてしまった場合でも、本体ユニット２００が天井側ユニット１００から外れてしまうことを確実に抑えることが可能である。
【００４１】
従って、本実施形態によれば、ロックプレート２１４がフック金具１０２の係合部１０２ｂに係合するとともに、ロックシャフト２２０が開口部１０２ｆに係合するため、天井側ユニット１００と本体ユニット２００を２重に係合させることができる。従って、本体ユニット２００と天井側ユニット１００との連結をより確実に行うことができる。
【００４２】
また、天井側ユニット１００に対して本体ユニット２００が完全に装着されておらず、フック金具１０２の係合部１０２ｂと開口部１１４ｂが係合していな状態では、ロックシャフト２２０の位置が開口部１０２ｆの位置に対応していないため、ロックボタン２０６を押し込むことができない。従って、ユーザは、ロックボタン２０６が押し込まれていることを確認することによって、フック金具１０２の係合部１０２ｂとロックプレート２１４の開口部１１４ｂとが確実に係合しているか判断することができる。
【００４３】
また、ロックボタン２０６を押し込む際のストローク量は比較的大きいため、図１（Ａ）及び図１（Ｂ）に示すように、ロックボタン２０６が押し込まれていない状態では、本体ユニット１００の外周面からロックボタン２０６が突出している状態となる。従って、ユーザは、ロックボタン２０６が押し込まれていないことを外観から容易に認識することができ、天井側ユニット１００と本体ユニット２００との連結が完全であるか否かを容易に判断することが可能である。従って、ロックボタン２０６が押し込まれていることを外観から判断できるようにしたことにより、ユーザに安心感を与えることができる。
【００４４】
図９は、天井側ユニット１００から本体ユニット２００を取り外す際に、ロックシャフト２２０がフック金具１０２の開口部１０２ｆから退避する様子を示す模式図である。図９（Ａ）に示すように、リリースボタン２０８を押し込むと、ロックプレート２１４が図３中の矢印Ａ３の反対方向に回動する。これにより、先ず、ロックプレート２１４の開口部２１４ｂとフック金具１０２の係合部１０２ｂとの係合が外れる。
【００４５】
一方、ロックシャフト２２０には、ロックプレートの２１４の面２１４ａと当接する突起部２２０ａが設けられており、突起部２２０ａはフック金具１０２の開口部１０２ｆの上縁よりも上側に突出している。このため、リリースボタン２０８を更に押し込むと、突起部２２０ａが面２１４ａによって押され、ロックシャフト２２０（ロックボタン２０６）が図３中の矢印Ａ５の反対方向に移動する。これにより、図９（Ｂ）に示すように、ロックシャフト２２０と開口部１０２ｆとの係合が外れ、天井側ユニット１００から本体ユニット２００を取り外すことができる。
【００４６】
次に、ロックボタン２０６が押し込まれている状態で、本体ユニット２００が天井側ユニット１００へ装着される場合について説明する。ロックボタン２０６が押し込まれることでロックシャフト２２０と開口部１０２ｆが係合するため、本体ユニット２００を装着する際にロックボタン２０６が既に押し込まれている場合は、ロックボタン２０６が押し込まれていない位置に復帰させる必要がある。このため、本実施形態では、ロックシャフト２２０の先端に斜面２２０ｂを設け、ロックボタン２０６が既に押し込まれている場合は、斜面２２０ｂがフック金具１０２の斜面１０２ｄと当接するようにしている。これにより、ロックボタン２０６が押し込まれていない位置に復帰するようにしている。
【００４７】
図１０は、ロックボタン２０６が既に押し込まれている状態で、本体ユニット２００を天井側ユニット１００に装着した場合を示す模式図である。この場合、先ず図１０（Ａ）に示すように、ロックシャフト２２０の先端の斜面２２０ｂがフック金具１０２の斜面１０２ｄと当接する。そして、本体ユニット２００を天井側ユニット１００に向けて移動させていくと、斜面２２０ｂと斜面１０２ｂが互いに摺動しながらロックボタン２０６が図１０（Ａ）中の矢印方向に移動し、押し込まれる前の位置に復帰する。これにより、ロックシャフト２２０とフック金具１０２が干渉してしまうことがなく、図１０（Ｂ）に示すように、ロックプレート２１４の開口部２１４ｂとフック金具１０２の係合部１０２ｂが係合する。そして、図１０（Ｂ）の状態からロックボタン２０６を押し込むことで、ロックシャフト２２０を開口部１０２ｆに係合させることができる。
【００４８】
図１１は、ロックボタン２０６に設けられるトグル機構を示す模式図である。図１１に示すように、ロックシャフト２２０には、捻りコイルバネ２２８が連結されている。捻りコイルバネ２２８は、その一端がロックシャフト２２０に対して回動可能に連結され（支点１）、他端がベースプレート２１２に対して回動可能に連結されている（支点２）。そして、捻りコイルバネ２２８の付勢力により、支点１においてロックシャフト２２０には矢印方向の力が作用し、支点２においてベースプレート２１２には矢印方向の力が作用している。図１１では、ロックボタン２０６が、押し込まれた位置と復帰位置の中間に位置している状態を示しており、この状態で支点１と支点２の距離が最も小さくなり、捻りコイルバネ２２８の付勢力が最も大きくなるように構成されている。
【００４９】
このような構成によれば、捻りコイルバネ２２８によっていわゆるトグル機構が構成され、ロックボタン２０６は、復帰位置と押し込み位置のいずれかに位置し、図１１に示す中間位置に留まることがない。従って、ユーザが復帰位置からロックボタン２０６を押し込むと、ロックボタン２０６は、図１１に示す中間位置を過ぎた位置からは捻りコイルバネ２２８の付勢力によって押し込み位置まで移動される。従って、ユーザは最小限の力でロックボタン２０６の押し込みを行うことができる。また、図９及び図１０で説明したロックボタン２０６の復帰動作の際にも、ロックボタン２０６は、図１１に示す中間位置を過ぎた位置からは捻りコイルバネ２２８の付勢力によって復帰位置まで移動される。従って、復帰動作の際においても、ロックボタン２０６を復帰位置まで確実に移動させることができる。このように、ロックボタン２０６は、捻りコイルバネ２２８の付勢力によって作動するため、ユーザがロックボタンを押し込む際には比較的少ない力で押し込むことができる。一方、ユーザがリリースボタン２０８を操作する際には、捻りコイルバネ２１８の付勢力に反して押し込む必要がある。このため、押し込みの際のユーザの付加を考慮して、本体ユニット２００の外周面において、リリースボタン２０８の面積はロックボタン２０６の面積よりも広いものとされている。これにより、ユーザは、捻りコイルバネ２１８の付勢力に対抗して、容易にリリースボタン２０８を押し込むことができる。
【００５０】
４．本体ユニットに関する平面構成
次に、本体ユニット２００に関する平面構成について、本体ユニット２００内に設けられる回路基板とロック機構部２１０との位置関係等について説明する。図１２は、本体ユニット２００を上側から見た状態を示す平面図である。図１２に示すように、本体ユニット２００には、外周の円筒面の中心軸Ｃと直交するように回路基板２３０が配置されている。回路基板２３０は、硬質基板からなり、本体ユニット２００に対して固定されている。
【００５１】
回路基板２３０には、天井側ユニット１００との電気的接続を行うためのコネクタ２３２が配置されている。天井側ユニット１００には、コネクタ２３２に対応する位置に、コネクタ２３２と連結されるコネクタが設けられている。コネクタ２３２は天井側ユニット１００に本体ユニット１００が装着されると、天井側ユニット１００のコネクタと連結される。このような構成によれば、本体ユニット１００の天井側ユニット１００への装着とともに本体ユニット１００と天井側ユニット１００の電気的接続を行うことができる。この電気的接続により、電源ライン、音声の入出力ライン、映像を送る有線ＬＡＮによる通信ラインなどが接続される。
【００５２】
また、本体ユニット２００には、天井側ユニット１００に向けて突出する複数のボス２２６が設けられている。天井側ユニット１００には、ボス２２６に対応する位置に、ボス２２６が挿入されるボス穴（不図示）が設けられている。そして、このボス穴にボス２２６が挿入され、ボスの先端２２６がボス穴の底に当接することにより、天井側ユニット１００と本体ユニット２００の水平位置、中心軸Ｃに対する角度位置の位置決めが成される。また、ボスの先端２２６がボス穴の底に当接することにより、天井側ユニット１００に対する本体ユニット２００の上下位置が定まり、ロックプレート２１４の開口部２１４ｂが係合部１０２ｂに係合するとともに、開口部１０２ｆにロックシャフト２２０を挿入可能となる。
【００５３】
図１３は、本体ユニット２００、ロック機構２１０及び回路基板２３０を下側から見た状態を示す平面図である。図１３に示すように、ロック機構２１０は、ベースプレート２１２の取付面２１２ｅを本体ユニット２００の取付面に当接させた状態で、ネジ孔２１２ｄに挿入されたネジ２４２を本体ユニットの取付面に締め込むことで、本体ユニット２００に対して固定される。また、図１３に示すように、回路基板２３０の下側の面には、メインプロセッサ２３４、画像処理ＩＣ２３６などの多数の電子部品が実装されている。また、回路基板２３０には、ＣＦカードコネクタ２３８が実装されている。
【００５４】
ＣＦカードコネクタ２３８は、無線ＬＡＮカード、メモリカードなどを挿入するため、図１に示すカード挿入部２４０の位置に対応して配置されている。従って、図１３において、カード挿入部２４０の位置は、矢印Ａ６で示す位置に対応し、ロック機構部２１０に対して、中心軸Ｃに対して角度位置で９０°離れた位置に配置されている。このような配置によれば、カード挿入部２４０とロック機構２１０とを本体ユニット２００の外周面上で干渉することなく配置できる。
【００５５】
また、コネクタ２３２は、図１２に示すように、ロック機構部２１０の１つと近接して配置され、中心軸Ｃに対してロック機構部２１０の１つの同じ角度位置に配置されている。このような配置によれば、コネクタ２３２とＣＦカードコネクタ２３８とが回路基板２３０の表裏面で干渉することなく配置することができる。また、コネクタ２３２に接続されるフレキシブル基板２４４の引き回しも容易となる。
【００５６】
以上説明したように本実施形態によれば、本体ユニット２００に設けられたロック機構２１０のロックプレート２１４を天井側ユニット１００のフック金具１０２に係合させるとともに、ロックシャフト２２０をフック金具１０２に係合させるようにした。これにより、天井側ユニット１００と本体ユニット２００の固定を２箇所の係合部で行うことが可能となる。従って、仮にフック金具１０２の係合部１０２ｂと開口部１１４ｂとの係合が外れた場合であっても、天井側ユニット１００から本体ユニット２００が外れてしまうことを抑止できる。また、ロックボタン２０６が押し込まれていない状態では、本体ユニット１００の外周面からロックボタン２０６が突出している状態となるため、ユーザは、ロックボタン２０６が押し込まれていないことを外観から容易に認識することができる。従って、ロックボタン２０６が押し込まれていない場合は、ユーザが外観から認識してロックボタン２０６を押し込むため、天井側ユニット１００と本体ユニット２００との連結が完全にすることが可能である。
【００５７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５８】
１００    天井側ユニット
１０２ｂ    係合部
１０２ｄ    斜面
１０２ｆ    開口部
２００    本体ユニット
２０１    レンズ
２０６    ロックボタン
２０８    リリースボタン
２１４    ロックプレート
２１４ｂ    開口部
２２０    ロックシャフト
２２０ｂ    斜面
【図１】
2010232827.tif 000003
【図２】
2010232827.tif 000004
【図３】
2010232827.tif 000005
【図４】
2010232827.tif 000006
【図５】
2010232827.tif 000007
【図６】
2010232827.tif 000008
【図７】
2010232827.tif 000009
【図８】
2010232827.tif 000010
【図９】
2010232827.tif 000011
【図１０】
2010232827.tif 000012
【図１１】
2010232827.tif 000013
【図１２】
2010232827.tif 000014
【図１３】
2010232827.tif 000015